(57)【要約】 【課題】使用しない場合、後テーブルが後席乗員の乗降に邪魔にならないように収納でき、また、使用する場合、簡単に引き出し可能になるか、簡単に引き出し、回転させて使用可能にする。 【解決手段】アームレスト本体１１の下面１２に長さ方向に伸長されて固定的に取り付けられる固定レール１３と、その固定レール１３に摺動可能にはめ合わせられて支持され、そして、後席側に引き出し可能にされる可動後席テーブル１５とを備える。 【選択図】図１
2005289080.tif 000002
【特許請求の範囲】
【請求項１】
アームレスト本体の下面に長さ方向に伸長されて固定的に取り付けられる固定レールと、その固定レールに摺動可能にはめ合わせられて支持され、そして、後席側に引き出し可能にされる可動後席テーブルとを備える乗り物シートに用いるアームレスト。 
【請求項２】
アームレスト本体の下面に長さ方向に伸長されて固定的に取り付けられる固定レールと、可動レールでその固定レールに摺動可能にはめ合わせられて支持され、そして、後席側に引き出し可能にされる可動収納ボックスと、その収納ボックスの長さ方向でその収納ボックスの左右の上方コーナーの一方にヒンジ結合され、そして、その収納ボックス上とその収納ボックスの一方の側面とに回転可能にされる後席用回転テーブルとを備える乗り物シートに用いるアームレスト。 
【発明の詳細な説明】
【技術分野】
【０００１】
この発明は、乗り物シートに用いるアームレスト、特に後席テーブルを後席側に引き出し可能に組み込むところの、また、後席テーブルを後席側に引き出し可能に組み込み、そして、引き出し、回転させて使用可能にするところの乗り物シートに用いるアームレストに関する。 
【背景技術】
【０００２】
通常、後席テーブルは、前席の背裏面に配置されるか後席アームレストを活用している。 
前者は、後席乗員が乗降する際、邪魔になるので、折りたたんで収納する必要があり、また、後者は、アームレストの一部分をテーブルやカップ・ホルダーに用いるので、面積が限られて本来のアームレスト機能も制限される。 
【発明の開示】
【発明が解決しようとする課題】
【０００３】
この発明の課題は、使用しない場合、後席テーブルが後席乗員の乗降に邪魔にならないように収納でき、また、使用する場合、簡単に引き出し可能になるか、簡単に引き出し、回転させて使用可能になるところの乗り物シートに用いるアームレストの提供にある。 
【課題を解決するための手段】
【０００４】
この発明は、アームレスト本体の下面に長さ方向に伸長されて固定的に取り付けられる固定レールと、その固定レールに摺動可能にはめ合わせられて支持され、そして、後席側に引き出し可能にされる可動後席テーブルとを備える。 
【発明の効果】
【０００５】
この発明では、使用しない場合、その可動後席テーブルがそのアームレスト本体の下面に収納されて後席乗員の乗降に邪魔にならず、また、使用する場合、その可動後席テーブルがそのアームレスト本体のその下面から簡単に引き出されて広い面積で活用され、そして、構造が簡単でコストが高くつかずに製作可能になり、また、見映えが確保される。 
【発明を実施するための最良の形態】
【０００６】
その固定レールが、所定の板厚の鋼板から所定の大きさの長方形に切断される素板を用い、そのアームレスト本体のその下面の大きさ寸法でその素板の両側面に左右の折返しフランジを互いに向かい合わせ、その素板の下面に突き出されて折返しに曲げ、そして、そのアームレスト本体のその下面にねじ止めされ、一方、その可動後席テーブルが、そのアームレスト本体のその下面の大きさ寸法で長方形平板に作られ、その長方形平板の両側面に左右の細長い溝を長さ方向に伸長されて開口し、そして、その固定レールのその左右の折返しフランジにその左右の細長い溝をはめ合わせ、そして、その固定レールに摺動可能に支持される。 
【実施例１】
【０００７】
以下、特定されて図示された具体例に基づいて、この発明の乗り物シートに用いるアームレストを説明するに、図１ないし図３は、ワゴンのドライバ・シート２０に適用されてセカンド・シート（図示せず）の乗員に活用可能にされるところのこの発明の乗り物シートに用いるアームレストの具体例１０を示し、そして、そのドライバ・シート２０は、シート・クッション２１、リクライニング・デバイス（図示せず）でそのシート・クッション２１に前倒しおよび角度調整可能に支持されるシート・バック２２、そのシート・バック２２に取り外し可能に取り付けられるヘッドレスト２４、およびそのアームレスト１０などから組み立てられ、そして、そのシート・クッション２１にシート・トラック（図示せず）を組み込んでそのシート・トラックでフロアに前後調整可能に据え付けられる。   
【０００８】
そのアームレスト１０では、アームレスト本体１１が、そのシート・バック２２の左側面２３に前倒し位置および起立位置に摺動可能に支持され、また、固定レール１３が、そのアームレスト本体１１の下面１２に長さ方向に伸長されて固定的に取り付けられ、さらに、可動後席テーブル１５が、その固定レール１３に摺動可能にはめ合わせられて支持され、そして、後席側、すなわち、そのセカンド・シート側に引き出し可能にされる。 
【０００９】
その固定レール１３は、所定の板厚の鋼板から所定の大きさの長方形に切断される素板を用い、そのアームレスト本体１１のその下面１２の大きさ寸法でその素板の両側面に左右の折返しフランジ１４、１４を互いに向かい合わせ、その素板の下面に突き出されて折返しに曲げ、そして、そのアームレスト本体１１のその下面１２にねじ止めされ、一方、その可動後席テーブル１５は、そのアームレスト本体１１のその下面１２の大きさ寸法で長方形平板１６から作られ、その長方形平板１６の両側面１７、１７に左右の細長い溝１８、１８を長さ方向に伸長させて開口し、そして、その固定レール１３のその左右の折返しフランジ１４、１４にその左右の細長い溝１８、１８をはめ合わせ、そして、その固定レール１３に摺動可能に支持させてそのセカンド・シート側に引き出し可能にされる。   
【００１０】
その後席テーブル１５は、前端側にカップ差込み穴１９を明けてカップ・ホルダーの機能を備える。 
【００１１】
したがって、後席乗員がそのセカンド・シートに着座されて食べ物あるいは飲み物を取る際には、その乗員は、ドライバー・シート２０のそのアームレスト１０を前に倒してそのアームレスト本体２０のその下面２１から後にその可動後席テーブル１５を引き出す。その可動後席テーブル１５は広い面積で使用可能になる。また、使用されない場合には、その可動後席テーブル１５はその引出し位置から前に摺動的に押されてそのアームレスト本体１１のその下面１２に収納され、そして、そのアームレスト本体１１にロックされる。そのように、その可動後席テーブル１５はその後席乗員の乗降に邪魔にならず、そして、そのアームレスト１０は、構造が簡単でコストが高くつかずに後席テーブルを備える構造に製作可能になってアームレスト機能が制限されずに見映えが確保される。 
【実施例２】
【００１２】
図４は、前述されたワゴンのそのドライバー・シート２０に適用され、そして、セカンド・シート（図示せず）の乗員に活用可能にされるところのこの発明の乗り物シートに用いるアームレストの具体例３０を示し、そして、そのアームレスト３０では、アームレスト本体３１が、そのシート・バック２２の左側面２３に前倒し位置および起立位置に摺動可能に支持され、また、左右の固定レール３３、３３が、そのアームレスト３１の下面３２に幅方向に適宜の間隔を置いて長さ方向に伸長され、そして、そのアームレスト本体３１のその下面３２に固定的に取り付けされ、さらに、可動収納ボックス３５が、左右の可動レール３４、３４でその左右の固定レール３３、３３に摺動可能にはめ合わせられてそのアームレスト本体３１に支持され、そして、後席側、すなわち、そのセカンド・シート側に引き出し可能にされ、またさらに、後席用回転テーブル３８が、その収納ボックスの長さ方向でその収納ボックス３５の左右の上方コーナー３７、３７の一方にヒンジ結合され、そして、その収納ボックス３５上とその収納ボックス３５の一方の側とに回転可能にされる。。 
【００１３】
その左右の固定レール３３、３３は、所定の板厚および長さの細長い鋼板からリップ付きの断面溝形に成形され、そして、そのアームレスト本体３１のその下面３２にねじ止めされ、また、その左右の可動レール３４、３４は所定の板厚および長さの細長い鋼板から異形断面Ｚ形に成形され、その左右の固定レール３３、３３の左右の間隔に合わせてその収納ボックス３５の上面３６に長さ方向に伸長され、そして、ねじ止めされる。 
【００１４】
その収納ボックス３５はそのアームレスト本体３１に合わせられた長さ寸法で細長い箱形に作られて小物入れに活用される。勿論、この収納ボックス３５はそのアームレスト本体３１のその下面３２から後方に摺動的に引き出され、また、そのアームレスト本体３１のその下面３２に摺動的に押し戻されて収納され、そして、そのアームレスト本体３１にロックされる。 
【００１５】
その後席用回転テーブル３８はそのアームレスト本体３１の上面よりも広い寸法で方形平板３９から作られ、そして、その方形平板３９の前側コーナーに２個のカップ差込み穴４０、４０を明けてカップ・ホルダーの機能も備える。 
【００１６】
したがって、後席乗員がそのセカンド・シートに着座されて食べ物あるいは飲み物を取る際には、その乗員は、そのドライバー・シート２０のそのアームレスト３０を前に倒してそのアームレスト本体３１のその下面３２から後にその収納ボックス３５を引き出し、そして、その収納ボックス３５のその左側面からその収納ボックス３５上にその後席用回転テーブル３８を回転させる。その後席用回転テーブル３８は広い面積で使用可能になる。また、使用されない場合には、先ず、その後席用回転テーブル３８はその収納ボックス３５上からその収納ボックス３５のその左側面に回転され、そして、その収納ボックス３５にロックされる。次に、その収納ボックス３５が前に摺動的に押されてそのアームレスト本体３１のその下面３２に収納され、そして、そのアームレスト本体３１にロックされる。その時、そのアームレスト４０は前倒し状態になる。その後、そのアームレスト４０はその前倒し状態に置かれるかその前倒し位置から起立位置に摺動されて起され、そして、そのシート・バック２２のその左側面２３に格納される。そのように、その後席用回転テーブル３８はその後席乗員の乗降に邪魔にならずに構造が簡単でコストが高くつかずに製作可能になり、そして、そのアームレスト３０では、アームレスト機能が制限されずに小物入れスペースが広くなる。 
【００１７】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。 
【産業上の利用可能性】
【００１８】
上述から理解されるように、この発明の乗り物シートに用いるアームレストは、アームレスト本体の下面に長さ方向に伸長されて固定的に取り付けられる固定レールと、その固定レールに摺動可能にはめ合わせられて支持され、そして、後席側に引き出し可能にされる可動後席テーブルとを備えるので、この発明の乗り物シートに用いるアームレストでは、使用しない場合、その可動後席テーブルがそのアームレスト本体のその下面に収納されて後席乗員の乗降に邪魔にならず、また、使用する場合、その可動後席テーブルがそのアームレスト本体のその下面から簡単に引き出されて広い面積で活用され、そして、構造が簡単でコストが高くつかずに製作可能になり、また、アームレスト機能が制限されずに見映えが確保され、その結果、自動車シートにとって非常に有用で実用的である。。 
【図面の簡単な説明】
【００１９】
【図１】この発明の乗り物シートに用いるアームレストの具体例を活用するワゴンのドライバー・シートを示した斜視図である。
【図２】そのドライバー・シートを前から見た正面図である。
【図３】そのアームレストの固定レールおよび可動後席テーブルを示した分解斜視図である。
【図４】この発明の乗り物シートに用いるアームレストの具体例を活用するワゴンのドライバ・シートを示した斜視図である。
【符号の説明】
【００２０】
１０  アームレスト 
１１  アームレスト本体 
１２  下面 
１３  固定レール 
１４  折返しフランジ 
１５  可動後席テーブル 
１６  長方形平板 
１７  側面 
１８  細長い溝 
３０  アームレスト 
３１  アームレスト本体 
３２  下面 
３３  固定レール 
３４  可動レール 
３５  可動収納ボックス 
３７  上方コーナー 
３８  後席用回転テーブル 
３９  方形平板 
【図１】
2005289080.tif 000003
【図２】
2005289080.tif 000004
【図３】
2005289080.tif 000005
【図４】
2005289080.tif 000006